(57)【要約】【課題】表示情報を表示部に表示させる際に、表示情報の３Ｄ深度に応じて適切な表示制御を実現できるようにする。【解決手段】、“３Ｄ用表示モードＡ”で３Ｄの表示情報（３Ｄ画像）が表示されている状態において、“２Ｄ用表示モード”のメニューを表示するためにその表示情報の表示を指示するユーザ操作が行われると、この３Ｄの表示情報（３Ｄ画像）に代わって所定の代替表示情報（黒塗り画像＋ガイド情報）が、表示指示された表示情報（メニュー）と共に表示される。【選択図】  図１４
2010164608.tif 000002
【特許請求の範囲】
【請求項１】
表示情報を表示部に３Ｄ表示させる端末装置であって、
３Ｄ深度が異なる複数の表示情報の中からいずれかの表示情報を前記表示部に表示するように指示する指示手段と、
この指示手段によっていずれかの表示情報が指示された場合に、この指示された表示情報の３Ｄ深度とは異なる３Ｄ深度の表示情報が前記表示部に表示されているか否かを判別する判別手段と、
この判別手段によって表示されていると判別された場合に、当該表示されている表示情報に代わって所定の代替表示情報を、前記指示手段によって指示された表示情報と共に前記表示部に表示させる表示制御手段と、
を具備したことを特徴とする端末装置。
【請求項２】
前記表示部に表示されている表示情報の表示領域のうち、前記指示手段によって指示された表示情報の表示領域と重ならない表示領域を検出する検出手段を更に備え、
前記表示制御手段は、前記検出手段によって検出された重ならない表示領域の表示情報に代わって所定の代替表示情報を、前記指示手段によって指示された表示情報と共に表示させる、
ようにしたことを特徴とする請求項１記載の端末装置。
【請求項３】
前記表示制御手段は、前記検出手段によって重ならない表示領域が無いことが検出された場合に、前記指示手段によって指示された表示情報を表示させる、
ようにしたことを特徴とする請求項２記載の端末装置。
【請求項４】
前記表示制御手段は、前記指示手段によって指示された表示情報の表示を消去する場合に、所定の代替表示情報に代わって前記表示部に表示されていた元の表示情報を表示させる、
ようにしたことを特徴とする請求項１記載の端末装置。
【請求項５】
前記判別手段は、前記指示手段によって３Ｄ深度がゼロの表示情報である２Ｄの表示情報を表示するように指示された場合に、３Ｄ深度がゼロ以外の表示情報である３Ｄの表示情報が表示されているか否かを判別し、
前記表示制御手段は、前記判別手段によって表示されていると判別された場合に、前記３Ｄの表示情報に代わって所定の代替表示情報を、前記指示手段によって指示された２Ｄの表示情報と共に表示させる、
ようにしたことを特徴とする請求項１記載の端末装置。
【請求項６】
前記判別手段は、前記指示手段によって３Ｄ深度がゼロ以外の表示情報である３Ｄの表示情報を表示するように指示された場合に、３Ｄ深度がゼロの表示情報である２Ｄの表示情報が表示されているか否かを判別し、
前記表示制御手段は、前記判別手段によって表示されていると判別された場合に、２Ｄの表示情報に代わって所定の代替表示情報を、前記指示手段によって指示された３Ｄの表示情報と共に表示させる、
ようにしたことを特徴とする請求項１記載の端末装置。
【請求項７】
前記表示制御手段は、所定の代替表示情報として、１色で塗りつぶされた表示情報、あるいは、２色以上の色で所定の模様が描かれた表示情報を表示させる、
ようにしたことを特徴とする請求項１記載の端末装置。
【請求項８】
前記表示制御手段は、所定の代替表示情報として、前記指示手段によって指示された表示情報とは異なる３Ｄ深度の表示情報であることを示すガイド表示を含む表示情報を表示させる、
ようにしたことを特徴とする請求項１記載の端末装置。
【請求項９】
表示情報を表示部に３Ｄ表示させる端末装置であって、
前記表示部に表示されている表示情報の３Ｄ深度に応じて、その表示情報をユーザに正しく認識させるための複数の表示モードの中からいずれかの表示モードを指示する指示手段と、
この指示手段によって指示された表示モードに設定する設定手段と、
前記指示手段によっていずれかの表示モードが指示された場合に、指示された表示モードとは異なる表示モードでユーザに正しく認識される３Ｄ深度の表示情報が前記表示部に表示されているか否かを判別する判別手段と、
この判別手段によって表示されていると判別された場合に、当該表示されている表示情報に代わって所定の代替表示情報を前記表示部に表示させる表示制御手段と、
を具備したことを特徴とする端末装置。
【請求項１０】
前記判別手段は、前記指示手段によって３Ｄ深度がゼロの表示情報である２Ｄの表示情報をユーザに正しく認識させるための表示モードである２Ｄ用表示モードが指示された場合に、３Ｄ深度がゼロ以外の表示情報である３Ｄの表示情報が表示されているか否かを判別し、
前記表示制御手段は、前記判別手段によって表示されていると判別された場合に、３Ｄの表示情報に代わって所定の代替表示情報を表示させる、
ようにしたことを特徴とする請求項９記載の端末装置。
【請求項１１】
前記判別手段は、前記指示手段によって３Ｄ深度がゼロ以外の表示情報である３Ｄの表示情報をユーザに正しく認識させるための表示モードである３Ｄ用表示モードが指示された場合に、３Ｄ深度がゼロの表示情報である２Ｄの表示情報が表示されているか否かを判別し、
前記表示制御手段は、前記判別手段によって表示されていると判別された場合に、２Ｄの表示情報に代わって所定の代替表示情報を表示させる、
ようにしたことを特徴とする請求項９記載の端末装置。
【請求項１２】
コンピュータに対して、
３Ｄ深度が異なる複数の表示情報の中からいずれかの表示情報を表示部に表示するように指示する機能と、
前記いずれかの表示情報が指示された場合に、この指示された表示情報の３Ｄ深度とは異なる３Ｄ深度の表示情報が前記表示部に表示されているか否かを判別する機能と、
前記表示されていると判別された場合に、当該表示されている表示情報に代わって所定の代替表示情報を、前記指示された表示情報と共に前記表示部に表示する機能と、
を実現させるためのプログラム。
【請求項１３】
コンピュータに対して、
表示部に表示されている表示情報の３Ｄ深度に応じて、その表示情報をユーザに正しく認識させるための複数の表示モードの中からいずれかの表示モードを指示する機能と、
前記指示された表示モードに設定する機能と、
前記いずれかの表示モードが指示された場合に、指示された表示モードとは異なる表示モードでユーザに正しく認識される３Ｄ深度の表示情報が前記表示部に表示されているか否かを判別する機能と、
前記表示されていると判別された場合に、当該表示されている表示情報に代わって所定の代替表示情報を前記表示部に表示する機能と、
を実現させるためのプログラム。
【発明の詳細な説明】
【技術分野】
【０００１】
この発明は、表示情報を表示部に３Ｄ表示させる端末装置及びプログラムに関する。
【背景技術】
【０００２】
従来、平面状の表示部に画像（静止画、動画）、テキスト、メニューなどの表示情報を３Ｄ（三次元）表示する技術としては、各種の技術があり、例えば、２Ｄ（二次元）表示情報の中のオブジェクトに立体に見えるような視覚効果を施して、オブジェクトを立体に見せる技術がある。なお、ポリゴンを利用した技術はこの技術の一例である。また、ユーザの右目と左目の視差を利用した技術もある。すなわち、互いに少しずらした右目用の表示情報と左目用の表示情報を用意し、それら２つの表示情報を同時に表示させるが、その際、右目用の表示情報は右目で見えて左目では見えないように、左目用の表示情報は左目で見えて右目では見えないようにするために光の経路を遮断する視差バリアを適切な位置に配置することによって表示情報を立体に見せるようにした技術である。
【０００３】
上述したいずれの３Ｄ表示技術においても、３Ｄの奥行きや飛び出しの程度を示す３Ｄ深度というパラメータがあり、この３Ｄ深度が大きいほど、ユーザには表示情報がより深く、あるいはより飛び出して見えることになる。反対に３Ｄ深度が小さいほど、表示情報が浅く見える、あるいはあまり飛び出して見えないことになり、３Ｄ深度がセロでは、２Ｄに見える（すなわち２Ｄ表示する）ということになる。
従来、ユーザ操作で３Ｄの深度を切り替えることが可能な技術としては、例えば、ユーザ操作によって、立体視の奥行きを変化させたり、立体視と平面視を切り換えたりする技術が開示されている（特許文献１参照）。
【先行技術文献】
【特許文献】
【０００４】
【特許文献１】特開２００７−０３７６１９号公報
【発明の概要】
【発明が解決しようとする課題】
【０００５】
ところで、３Ｄ表示技術においては、異なる３Ｄ深度の表示情報を同時に表示した場合に、ユーザにとって表示情報が見難いという状況が起こり得る。例えば、３Ｄ深度が大きい表示情報と小さい表示情報が同時に表示されると、ユーザの３Ｄ認識に混乱を来たし、見難いと感じることがある。また、異なる３Ｄ深度の表示情報を同時に表示した場合に、ある３Ｄ深度の表示情報はユーザに正しく認識される（正常に３Ｄに見える）が、それ以外の３Ｄ深度の表示情報はユーザに正しく認識されないという状況も起こり得る。例えば、視差を利用した技術の場合、３Ｄ深度がゼロの表示情報である２Ｄの表示情報がユーザに正しく認識されるためには、視差バリアを無くす必要があるが、視差バリアを無くすと、３Ｄ深度がゼロ以外の表示情報である３Ｄの表示情報は、右目用の表示情報と左目用の表示情報が両方の目に完全に（隠されることなく）同時に見えてしまう。
【０００６】
この発明の課題は、表示情報を表示部に表示させる際に、表示情報の３Ｄ深度に応じて適切な表示制御を実現できるようにすることである。
【課題を解決するための手段】
【０００７】
上述した課題を解決するために請求項１記載の発明は、表示情報を表示部に３Ｄ表示させる端末装置であって、３Ｄ深度が異なる複数の表示情報の中からいずれかの表示情報を前記表示部に表示するように指示する指示手段と、この指示手段によっていずれかの表示情報が指示された場合に、この指示された表示情報の３Ｄ深度とは異なる３Ｄ深度の表示情報が前記表示部に表示されているか否かを判別する判別手段と、この判別手段によって表示されていると判別された場合に、当該表示されている表示情報に代わって所定の代替表示情報を、前記指示手段によって指示された表示情報と共に前記表示部に表示させる表示制御手段と、を具備したことを特徴とする。
【０００８】
請求項１に従属する発明として、前記表示部に表示されている表示情報の表示領域のうち、前記指示手段によって指示された表示情報の表示領域と重ならない表示領域を検出する検出手段を更に備え、前記表示制御手段は、前記検出手段によって検出された重ならない表示領域の表示情報に代わって所定の代替表示情報を、前記指示手段によって指示された表示情報と共に表示させる、ようにしたことを特徴とする請求項２記載の発明であってもよい。
【０００９】
請求項２に従属する発明として、前記表示制御手段は、前記検出手段によって重ならない表示領域が無いことが検出された場合に、前記指示手段によって指示された表示情報を表示させる、ようにしたことを特徴とする請求項３記載の発明であってもよい。
【００１０】
請求項１に従属する発明として、前記表示制御手段は、前記指示手段によって指示された表示情報の表示を消去する場合に、所定の代替表示情報に代わって前記表示部に表示されていた元の表示情報を表示させる、ようにしたことを特徴とする請求項４記載の発明であってもよい。
【００１１】
請求項１に従属する発明として、前記判別手段は、前記指示手段によって３Ｄ深度がゼロの表示情報である２Ｄの表示情報を表示するように指示された場合に、３Ｄ深度がゼロ以外の表示情報である３Ｄの表示情報が表示されているか否かを判別し、前記表示制御手段は、前記判別手段によって表示されていると判別された場合に、前記３Ｄの表示情報に代わって所定の代替表示情報を、前記指示手段によって指示された２Ｄの表示情報と共に表示させる、ようにしたことを特徴とする請求項５記載の発明であってもよい。
【００１２】
請求項１に従属する発明として、前記判別手段は、前記指示手段によって３Ｄ深度がゼロ以外の表示情報である３Ｄの表示情報を表示するように指示された場合に、３Ｄ深度がゼロの表示情報である２Ｄの表示情報が表示されているか否かを判別し、前記表示制御手段は、前記判別手段によって表示されていると判別された場合に、２Ｄの表示情報に代わって所定の代替表示情報を、前記指示手段によって指示された３Ｄの表示情報と共に表示させる、ようにしたことを特徴とする請求項６記載の発明であってもよい。
【００１３】
請求項１に従属する発明として、前記表示制御手段は、所定の代替表示情報として、１色で塗りつぶされた表示情報、あるいは、２色以上の色で所定の模様が描かれた表示情報を表示させる、ようにしたことを特徴とする請求項７記載の発明であってもよい。
【００１４】
請求項１に従属する発明として、前記表示制御手段は、所定の代替表示情報として、前記指示手段によって指示された表示情報とは異なる３Ｄ深度の表示情報であることを示すガイド表示を含む表示情報を表示させる、ようにしたことを特徴とする請求項８記載の発明であってもよい。
【００１５】
また、上述した課題を解決するために請求項９記載の発明は、表示情報を表示部に３Ｄ表示させる端末装置であって、前記表示部に表示されている表示情報の３Ｄ深度に応じて、その表示情報をユーザに正しく認識させるための複数の表示モードの中からいずれかの表示モードを指示する指示手段と、この指示手段によって指示された表示モードに設定する設定手段と、前記指示手段によっていずれかの表示モードが指示された場合に、指示された表示モードとは異なる表示モードでユーザに正しく認識される３Ｄ深度の表示情報が前記表示部に表示されているか否かを判別する判別手段と、この判別手段によって表示されていると判別された場合に、当該表示されている表示情報に代わって所定の代替表示情報を前記表示部に表示させる表示制御手段と、を具備したことを特徴とする。
【００１６】
請求項９に従属する発明として、前記判別手段は、前記指示手段によって３Ｄ深度がゼロの表示情報である２Ｄの表示情報をユーザに正しく認識させるための表示モードである２Ｄ用表示モードが指示された場合に、３Ｄ深度がゼロ以外の表示情報である３Ｄの表示情報が表示されているか否かを判別し、前記表示制御手段は、前記判別手段によって表示されていると判別された場合に、３Ｄの表示情報に代わって所定の代替表示情報を表示させる、ようにしたことを特徴とする請求項１０記載の発明であってもよい。
【００１７】
請求項９に従属する発明として、前記判別手段は、前記指示手段によって３Ｄ深度がゼロ以外の表示情報である３Ｄの表示情報をユーザに正しく認識させるための表示モードである３Ｄ用表示モードが指示された場合に、３Ｄ深度がゼロの表示情報である２Ｄの表示情報が表示されているか否かを判別し、前記表示制御手段は、前記判別手段によって表示されていると判別された場合に、２Ｄの表示情報に代わって所定の代替表示情報を表示させる、ようにしたことを特徴とする請求項１１記載の発明であってもよい。
【００１８】
また、上述した課題を解決するために請求項１２記載の発明は、コンピュータに対して、３Ｄ深度が異なる複数の表示情報の中からいずれかの表示情報を表示部に表示するように指示する機能と、前記いずれかの表示情報が指示された場合に、この指示された表示情報の３Ｄ深度とは異なる３Ｄ深度の表示情報が前記表示部に表示されているか否かを判別する機能と、前記表示されていると判別された場合に、当該表示されている表示情報に代わって所定の代替表示情報を、前記指示された表示情報と共に前記表示部に表示する機能と、を実現させるためのプログラムを特徴とする。
【００１９】
また、上述した課題を解決するために請求項１３記載の発明は、コンピュータに対して、表示部に表示されている表示情報の３Ｄ深度に応じて、その表示情報をユーザに正しく認識させるための複数の表示モードの中からいずれかの表示モードを指示する機能と、前記指示された表示モードに設定する機能と、前記いずれかの表示モードが指示された場合に、指示された表示モードとは異なる表示モードでユーザに正しく認識される３Ｄ深度の表示情報が前記表示部に表示されているか否かを判別する機能と、前記表示されていると判別された場合に、当該表示されている表示情報に代わって所定の代替表示情報を前記表示部に表示する機能と、を実現させるためのプログラムを特徴とする。
【発明の効果】
【００２０】
この発明によれば、表示情報を表示部に表示させる際に、表示情報の３Ｄ深度に応じて適切な表示制御を実現することができ、実用効果の高いものとなる。
【図面の簡単な説明】
【００２１】
【図１】端末装置として適用した携帯電話機が利用可能な通信ネットワークシステムを示したブロック図である。
【図２】携帯電話機１の基本的な構成要素を示したブロック図。
【図３】携帯電話機１の外観図で、（１）は、操作部筐体１Ａと表示部筐体１Ｂとの折り畳みを開いた状態のオープンスタイルを示し、（２）は、オープンスタイルにおいて表示部筐体１Ｂを１８０度反転させてから折り畳んだ状態のビュースタイルを示した図。
【図４】表示モード記憶部Ｍ３を説明するための図。
【図５】３Ｄ深度情報記憶部Ｍ４を説明するための図。
【図６】表示情報記憶部Ｍ５を説明するための図。
【図７】各種情報一時記憶部Ｍ２に一時記憶される表示情報を説明するための図。
【図８】電源投入に伴って実行開始される携帯電話機１側の全体動作の概要を示したフローチャート。
【図９】表示モード決定処理（図８のステップＡ６）を詳述するためのフローチャート。
【図１０】表示情報処理Ａ（図８のステップＡ７）を詳述するためのフローチャート。
【図１１】表示情報処理Ｂ−１（図８のステップＡ８）を詳述するためのフローチャート。
【図１２】表示制御処理（図８のステップＡ９）を詳述するためのフローチャート。
【図１３】表示情報処理Ｂ−２（図８のステップＡ１２）を詳述するためのフローチャート。
【図１４】“３Ｄ用表示モードＡ”で画像を３Ｄ表示中に、“２Ｄ用表示モード”のメニューを表示するためにその表示情報の表示を指示するユーザ操作が行われた場合の表示例を示した図。
【図１５】画像及びテキストが並列して２Ｄ表示されている状態において、“２Ｄ用表示モード”から“３Ｄ用表示モードＢ”に切り替えられた場合の表示例を示した図。
【発明を実施するための最良の形態】
【００２２】
以下、図１〜図１５を参照して本発明の実施形態を説明する。
この実施形態は、端末装置として携帯電話機に適用した場合を例示したもので、図１は、この携帯電話機が利用可能な通信ネットワークシステムを示したブロック図である。
携帯電話機１には、通話機能、電子メール機能、インターネット接続機能（Ｗｅｂアクセス機能）のほか、デジタルテレビ放送（例えば、ワンセグ地上デジタルテレビ放送）を受信可能なテレビ放送受信機能、３Ｄ表示機能などが備えられている。この３Ｄ表示機能は、左右の目の視差を利用した視差バリア方式によって、動画、静止画、テキスト、メニューなどの表示情報を３Ｄの奥行きあるいは飛び出しの程度を示す３Ｄ深度で表示させる機能で、３Ｄ深度が異なる複数の表示情報の中からいずれかの表示情報を表示部に３Ｄ表示させるようにしている。
【００２３】
携帯電話機１は、最寄りの基地局２Ａ、交換機２Ｂから無線通信網（移動体通信網）２に接続されると、この無線通信網２を介して他の携帯電話機１との間で通話可能な状態となる。また、携帯電話機１は、無線通信網２を介してインターネット３に接続されると、Ｗｅｂサイトをアクセスして閲覧可能となり、また、情報配信装置４から動画、静止画、音楽、ニュースなどの情報をインターネット３、無線通信網２を介してダウンロード可能となる。また、携帯電話機１は、テレビ局５から送信アンテナ６を介して発信された地上波デジタル放送を受信するようにしているが、インターネットラジオのように無線通信網２、インターネット３を介して情報配信装置４からデジタル放送をダウンロード受信することもできる。
【００２４】
図２は、携帯電話機１の基本的な構成要素を示したブロック図である。
中央制御部１１は、二次電池を備えた電池部１２からの電力供給によって動作し、記憶部１３内の各種のプログラムに応じてこの携帯電話機１の全体動作を制御する中央演算処理装置やメモリなどを有している。この記憶部１３には、プログラム記憶部Ｍ１、各種情報一時記憶部Ｍ２、表示モード記憶部Ｍ３、３Ｄ深度情報記憶部Ｍ４、表示情報記憶部Ｍ５などが設けられている。プログラム記憶部Ｍ１は、図８〜図１３に示した動作手順に応じて本実施形態を実現するためのプログラムや各種のアプリケーションなどが格納されているほか、それに必要とする情報などが記憶されている。各種情報一時記憶部Ｍ２は、フラグ情報、タイマ情報、画面情報など、携帯電話機１が動作するために必要な各種の情報を一時的に記憶するワーク領域である。なお、表示モード記憶部Ｍ３、３Ｄ深度情報記憶部Ｍ４、表示情報記憶部Ｍ５については後で詳述するものとする。
【００２５】
無線通信部１４は、無線部、ベースバンド部、多重分離部などを備え、例えば、通話機能、電子メール機能、インターネット接続機能などの動作時に、最寄りの基地局２Ａとの間でデータの送受信を行うもので、通話機能の動作時にはベースバンド部の受信側から信号を取り込んで受信ベースバンド信号に復調したのち、音声信号処理部１５を介して通話用スピーカＳＰから音声出力させ、また、通話用マイクＭＣからの入力音声データを音声信号処理部１５から取り込み、送信ベースバンド信号に符号化したのち、ベースバンド部の送信側に与えてアンテナから発信出力させる。
【００２６】
テレビ放送受信部１６は、通信端末装置向けのワンセグ地上波デジタルテレビ放送のほか、電子番組表（ＥＰＧ）などの番組情報も含めて受信可能となっている。このテレビ放送受信部１６は、放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。表示部１７は、高精細液晶を使用し、例えば、文字情報、待受画像、テレビ映像などの表示情報を表示させるもので、この表示部１７の表面には、視差バリアを生成するための液晶の層が設けられている。
【００２７】
３Ｄ変換処理部１８は、３Ｄ表示時に３Ｄ深度に応じた右目用の表示情報と左目用の表示情報を生成するもので、視差バリア制御部１９は、３Ｄ表示時に３Ｄ変換処理部１８によって生成された右目用の表示情報と左目用の表示情報が表示部１７に同時に表示されている状態において、正しく３Ｄ表示が見えるように視差バリアを表示部１７の表層に生成する。操作部２０は、ダイヤル入力、文字入力、コマンド入力などを入力するもので、中央制御部１１は、この操作部２０からの入力操作信号に応じた処理を実行する。ＲＴＣ（リアルタイムクロックモジュール）２１は、時計部を構成するもので、中央制御部１１は、ＲＴＣ２１から現在日時を取得する。報知部２２は、サウンドスピーカ２３、ＬＥＤ（発光ダイオード）２４、振動モータ２５を備え、着信時に駆動されて着信報知を行うほか、アラーム報知時などでも駆動される。
【００２８】
図３は、携帯電話機１の外観図である。
携帯電話機１は、その機器本体（装置本体）を構成する複数の筐体の連結状態に応じて複数のスタイルに変更可能な２軸ヒンジタイプで、操作部筐体１Ａと表示部筐体１Ｂとは、折り畳み開閉自在及び回動自在にヒンジ部１Ｃを介して連結されている。ヒンジ部１Ｃには操作部筐体１Ａと表示部筐体１Ｂとを折り畳み開閉するための開閉用ヒンジ軸が設けられているほか、この開閉用ヒンジ軸と略直交して、一方の筐体を他方の筐体に対して回動するための回動用ヒンジ軸とが設けられている。
【００２９】
このような２軸ヒンジタイプの携帯電話機１は、操作部筐体１Ａと表示部筐体１Ｂとが、どのように連結されているかに応じて携帯電話機１の形態を複数のスタイル（クローズスタイル、オープンスタイル、ビュースタイルなど）に変更可能なもので、図３（１）は、操作部筐体１Ａと表示部筐体１Ｂとの折り畳みを開いた状態のオープンスタイルを示している。なお、操作部筐体１Ａの内面には、操作部２０が配置され、また、表示部筐体１Ｂの内面には、表示部１７が配置されている。なお、操作部筐体１Ａの内面側には、通話用マイクＭＣが配置され、表示部筐体１Ｂの内面には、通話用スピーカＳＰが配置されている。図３（２）は、オープンスタイルにおいて表示部筐体１Ｂを１８０度反転させてから折り畳んだ状態のビュースタイルを示し、オープンスタイルで内側となっていた表示部１７は、ビュースタイルでは外側に向くようになる。
【００３０】
図４は、表示モード記憶部Ｍ３を説明するための図である。
表示モード記憶部Ｍ３は、表示部１７に表示される表示情報の３Ｄ深度に応じてその表示情報をユーザに正しく認識させるための複数の表示モード毎に、表示モードに関する情報を記憶するもので、「項目」、「３Ｄ深度」、「設定フラグ」の各項目を有している。「項目」は、複数の表示モードとして、“２Ｄ用表示モード”、“３Ｄ用表示モードＡ”、“３Ｄ用表示モードＢ”を示し、“２Ｄ用表示モード”は、３Ｄ深度がゼロの表示情報である２Ｄの表示情報を表示するのに適した表示モード、また、“３Ｄ用表示モードＡ”、“３Ｄ用表示モードＢ”は、３Ｄ深度がゼロ以外の表示情報である３Ｄの表示情報を表示するのに適した表示モードである。
【００３１】
「３Ｄ深度」は、表示情報の３Ｄの奥行きあるいは飛び出しの程度を示すもので、“２Ｄ用表示モード”は、その「３Ｄ深度」が“レベル０（ゼロ）”となっており、２Ｄ（平面）の表示情報の表示に適していることを示している。また、“３Ｄ用表示モードＡ”は、その「３Ｄ深度」が“レベル１”で、奥行きあるいは飛び出しの程度が小さい表示情報の表示に適し、また、“３Ｄ用表示モードＢ”は、その「３Ｄ深度」が“レベル２”となっており、奥行きあるいは飛び出しの程度が大きい表示情報の表示に適していることを示している。
【００３２】
「設定フラグ」は、複数の表示モードのうち、現在有効な表示モードを示すフラグで、その値が“１”に対応付けられた表示モードが現在有効な表示モードであることを示している。中央制御部１１は、３Ｄ深度が異なる複数の表示情報の中からいずれかの３Ｄ深度の表示情報を表示部１７に表示するように指示された際に、この指示された表示情報の種別（動画、静止画、テキストなど）に応じて最適な表示モードを決定してその「設定フラグ」を“１”とするようにしている。
【００３３】
図５は、３Ｄ深度情報記憶部Ｍ４を説明するための図である。
３Ｄ深度情報記憶部Ｍ４は、表示情報の種別毎に、どの程度の３Ｄ深度であればそれを表示可能であるかを示す情報を記憶するもので、「種別ＩＤ」、「種別」、「表示可能３Ｄ深度」、…の各項目を有している。「種別ＩＤ」は、表示情報の種別（動画、静止画、テキスト、メニューなど）を識別するための情報である。「表示可能３Ｄ深度」は、その種別に応じてどの程度の３Ｄ深度で表示可能であるかを示す情報で、例えば、「種別」が“画像（静止画）”あるいは“画像（動画）”の場合には、“レベル０”、“レベル１”、“レベル２”が記憶され、また、「種別」が“画像（サムネイル）”の場合には、“レベル０”、“レベル１”が記憶され、また、「種別」が“テキスト”の場合には、“レベル０”が記憶されている。また、「種別」が“メインメニュー”の場合には、“レベル０”、“レベル２”
が記憶され、また、「種別」が“動画用メニュー” あるいは“静止画用メニュー”の場合には、“レベル０”が記憶されている。
【００３４】
図６は、表示情報記憶部Ｍ５を説明するための図である。
表示情報記憶部Ｍ５は、表示部１７に表示するための表示情報を記憶するもので、例えば、情報配信装置４から動画、静止画、音楽、ニュースなどの情報をインターネット３、無線通信網２を介してダウンロードしたり、テレビ放送受信部１６によって受信した放送番組を録画記録したりした情報を表示情報として記憶する。この表示情報記憶部Ｍ５は、表示情報を識別する「情報ＩＤ」に対応して「タイトル」、「種別ＩＤ」、「実データ」などを記憶する構成で、「実データ」は、３Ｄ深度の“レベル０（ゼロ）”の実データのみを記憶するようにしている。なお、「実データ」には、上述した「表示可能３Ｄ深度」毎に実データを記憶するようにしてもよく、また、画像、テキスト、メニューを別々に記憶するようにしてもよい。
【００３５】
図７は、各種情報一時記憶部Ｍ２に一時記憶される表示情報を説明するための図である。
各種情報一時記憶部Ｍ２に一時記憶される表示情報は、表示部１７に表示している（表示する）表示情報であり、この表示情報一時記憶の内容は、「情報ＩＤ」、「種別ＩＤ」、「３Ｄ深度」、「表示領域」、「実データ」、「黒塗りフラグ」、「ガイドフラグ」などの項目を有している。「情報ＩＤ」、「種別ＩＤ」は、上述した表示情報記憶部Ｍ５の「情報ＩＤ」、「種別ＩＤ」と同様である。「表示領域」は、表示部１７のどの領域に「実データ」が表示されているかを示す情報で、例えば、矩形領域の左隅位置と右隅位置との２点座標（対角座標）によって当該表示領域を特定するようにしている。「実データ」は、３Ｄ深度がゼロの表示情報である２Ｄの表示情報や３Ｄ深度がゼロ以外の表示情報である３Ｄの表示情報又は後述する所定の代替表示情報である。なお、「実データ」には、「表示領域」分のデータ（実データを構成する一部分のデータ）を一時記憶してもよく、実データを構成する全てのデータを一時記憶するようにしてもよい。
【００３６】
「黒塗りフラグ」は、表示部１７に表示する表示情報が指示された際に、この表示指示された表示情報の３Ｄ深度が表示部１７に表示されている表示情報の３Ｄ深度と異なる場合に、表示部１７に表示されている表示情報に代わって生成された所定の代替表示情報（黒塗り画像）を表示部１７に表示させる状態であることを示している。すなわち、３Ｄ深度が異なる複数の表示情報が表示部１７に同時に表示されないように、表示指示された表示情報を黒塗り画像と共に表示させる状態であることを示している。「ガイドフラグ」は、上述の黒塗り画像内に収まるように、表示指示された表示情報とは異なる３Ｄ深度の表示情報であることを示すガイド情報を表示させる状態であることを示している。このように黒塗り画像内にガイド情報を含めて表示される場合に、所定の代替表示情報は、黒塗り画像＋ガイド情報となる。
【００３７】
図示の例は、「情報ＩＤ」＝“Ｂ０５”、「種別ＩＤ」＝“Ａ０２”で示される画像（動画）と、「情報ＩＤ」＝“Ｂ０４”、「種別ＩＤ」＝“Ａ０６”で示される動画用メニューとが表示部１７に同時に表示されていることを示している。この場合、「情報ＩＤ」＝“Ｂ０５”に対応する「黒塗りフラグ」及び「ガイドフラグ」が“１”、また、「種別ＩＤ」＝“Ａ０６”
に対応する「黒塗りフラグ」及び「ガイドフラグ」が“０”となっているので、「３Ｄ深度」が“レベル１”の画像（動画）に代わって、黒塗り画像が表示されると共に、この黒塗り画像内に収まるようにガイド情報され、また、「３Ｄ深度」が“レベル０”で動画用メニューが表示されていることを示している。
【００３８】
次に、この実施形態における携帯電話機１の動作概念を図８〜図１３に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用してこの実施形態特有の動作を実行することもできる。
【００３９】
図８は、電源投入に伴って実行開始される携帯電話機１側の全体動作の概要を示したフローチャートである。
先ず、携帯電話機１においてその中央制御部１１は、電源を投入する電源オン操作が行われると（ステップＡ１でＹＥＳ）、電源供給を開始させて所定のメモリなどを初期化する電源オン処理を実行したのち、所定の待受画像を読み出して表示させたり、基地局２Ａとの間で通信を行って位置登録をしたりする待受処理を行う（ステップＡ２）。ここで、任意の情報を設定する設定操作が行われた場合には（ステップＡ３でＹＥＳ）、その操作に対応する設定処理として、例えば、情報配信装置４から動画、静止画、音楽、ニュースなどの情報をダウンロードしたり、テレビ放送受信部１６によって受信した放送番組を録画記録したりして、表示情報記憶部Ｍ５に記憶する処理などを行う（ステップＡ４）。
【００４０】
また、３Ｄ深度が異なる複数の表示情報の中からいずれかの表示情報を表示部１７に表示するように指示する表示指示の発生を検出した場合には（ステップＡ５）、この表示指示された表示情報に応じて表示モードを決定する表示モード決定処理に移る（ステップＡ６）。ここで、表示情報の表示指示が発生するのは、ユーザ操作による画像、テキスト、メニューなどの表示情報の表示指示を検出した場合に限らず、自動的に表示部１７の表示が変わるとき、例えば、画像などの再生が終了して別の画像の再生が自動的に始まるとき、画像などの再生が終了して自動的に待受画面などに戻るときなどのように、自動的な表示指示を検出した場合である。
【００４１】
図９は、表示モード決定処理（図８のステップＡ６）を詳述するためのフローチャートである。
先ず、中央制御部１１は、表示情報記憶部Ｍ５に記憶されている表示情報のうち、表示指示された表示情報の「種別ＩＤ」を参照してその種別を検出したのち（ステップＢ１）、その種別に基づいて３Ｄ深度情報記憶部Ｍ４を参照し、該当する「表示可能３Ｄ深度」を読み出すと共に（ステップＢ２）、表示モード記憶部Ｍ３から「設定フラグ」が“１”の表示モードを読み出す（ステップＢ３）。
【００４２】
そして、表示指示された表示情報の「表示可能３Ｄ深度」と「設定フラグ」が“１”の表示モードの「３Ｄ深度」とを比較して、表示指示された表示情報を現在の表示モードの「３Ｄ深度」で表示可能であるかを調べる（ステップＢ４）。ここで、表示指示された表示情報の「表示可能３Ｄ深度」のうち、そのいずれかに表示モードの「３Ｄ深度」が該当していれば、表示指示された表示情報を現在の表示モードの「３Ｄ深度」で表示可能であると判断する。例えば、現在の表示モードが“３Ｄ用表示モードＡ”で、表示指示された表示情報が画像（サムネイル）である場合には、“３Ｄ用表示モードＡ”の「３Ｄ深度」は“レベル１”であり、画像（サムネイル）の「表示可能３Ｄ深度」は、“レベル０、レベル１”であるから、この画像（サムネイル）を“３Ｄ用表示モードＡ”で表示可能であると判断する（ステップＢ４でＮＯ）。このように現在の表示モードで表示可能であれば、表示モードを変更することなく、図９のフローから抜ける。
【００４３】
また、例えば、現在の表示モードが“３Ｄ用表示モードＢ”で、表示指示された表示情報がテキストであれば、“３Ｄ用表示モードＢ”の「３Ｄ深度」は“レベル２”であり、テキストの「表示可能３Ｄ深度」は、“レベル０”であるから、このテキストを“３Ｄ用表示モードＢ”では表示することが不可能であると判断して（ステップＢ４でＮＯ）、表示モードの切り替えを行う（ステップＢ５）。すなわち、上述のように、表示情報がテキストで現在の表示モードが“３Ｄ用表示モードＢ”の場合には、テキストを表示可能な“２Ｄ用表示モード”の「設定フラグ」を“１”として、それ以外を“０”とすることによって“３Ｄ用表示モードＢ”から“２Ｄ用表示モード”への切り替えを行う。なお、表示可能な表示モードが複数ある場合には、ユーザ操作によっていずれかの表示モードを選択させるようにしてもよいし、予め指定された優先順位に従っていずれかの表示モードを選択するようにしてもよい。
【００４４】
このように表示指示された表示情報が現在の表示モードの「３Ｄ深度」で表示可能でなければ、それを表示可能な表示モードに切り替える表示モード決定処理（図８のステップＡ６）を実行したのち、この表示指示された表示情報に対する表示情報処理Ａを行うと共に（ステップＡ７）、表示部１７に表示されている表示情報に対する表示情報処理Ｂ−１を行う（ステップＡ８）。そして、表示指示された表示情報を表示されている表示情報と共に表示させる表示制御処理の実行に移る（ステップＡ９）。
【００４５】
図１０は、表示情報処理Ａ（図８のステップＡ７）を詳述するためのフローチャートである。
先ず、中央制御部１１は、表示モード記憶部Ｍ３から「設定フラグ」が“１”の表示モードを読み出し（ステップＣ１）、現在の表示モードは“２Ｄ用表示モード”であるかを調べ（ステップＣ２）、“２Ｄ用表示モード”であれば（ステップＣ２でＹＥＳ）、表示指示された表示情報を各種情報一時記憶部Ｍ２に一時記憶させたのち（ステップＣ３）、図１０のフローから抜ける。また、“２Ｄ用表示モード”以外であれば（ステップＣ２でＮＯ）、表示指示された表示情報の種別に応じた「３Ｄ深度」で右目用の表示情報と左目用の表示情報とを生成することによって、表示指示された表示情報を３Ｄ深度の表示情報に変換する（ステップＣ４）。そして、この３Ｄ深度の表示情報を各種情報一時記憶部Ｍ２に一時記憶させたのち（ステップＣ３）、図１０のフローから抜ける。
【００４６】
図１１は、表示情報処理Ｂ−１（図８のステップＡ８）を詳述するためのフローチャートである。
先ず、中央制御部１１は、表示モード記憶部Ｍ３から「設定フラグ」が“１”の表示モード（表示指示された表示情報に応じて決定された表示モード）を読み出したのち（ステップＤ１）、各種情報一時記憶部Ｍ２をアクセスし、表示部１７に表示されている表示情報の「３Ｄ深度」を読み出して検出する（ステップＤ２）。なお、表示部１７に表示されている表示情報の「黒塗りフラグ」が“１”、つまり、この表示情報に代わって黒塗り画像が表示されている場合でも黒塗り前における元の表示情報の「３Ｄ深度」を検出し、また、複数の表示情報が表示されている場合には、それぞれの表示情報毎に「３Ｄ深度」を検出して、それぞれの表示情報毎に以下の処理を実行する。
【００４７】
そして、表示部１７に表示されている表示情報の「３Ｄ深度」と表示モードの「３Ｄ深度」とを比較して、それらは同一であるかを調べる（ステップＤ３）。いま、それらが同一で、表示指示された表示情報の３Ｄ深度と同じ３Ｄ深度の表示情報が表示されている場合には（ステップＤ３でＹＥＳ）、その表示されている表示情報を各種情報一時記憶部Ｍ２に再度一時記憶させる（ステップＤ４）。なお、ここで、一時記憶させる（表示されている）表示情報の表示領域が、図１０のステップＣ３で一時記憶された（表示指示された）表示情報の表示領域と重なる場合には、前者の表示領域を変更（縮小）する。なお、このように前者の表示領域を変更すると、前者の上に重なって後者が表示されるようになる。次に、この表示情報の「黒塗りフラグ」及び「ガイドフラグ」を“０”とすることによって、黒塗り画像及びガイド情報の表示を解除したのち（ステップＤ５）、図１１のフローから抜ける。なお、既に「黒塗りフラグ」、「ガイドフラグ」が“０”であれば、このステップＤ５はスキップ（省略）される。
【００４８】
また、表示部１７に表示されている表示情報の「３Ｄ深度」と表示モードの「３Ｄ深度」とを比較した結果、それらが同一でなければ（ステップＤ３でＮＯ）、言い換えれば、表示指示された表示情報の３Ｄ深度とは異なる３Ｄ深度の表示情報が表示されている場合には、表示指示された表示情報と表示されている表示情報とが重ならない表示領域を検出する（ステップＤ６）。より具体的には、各種情報一時記憶部Ｍ２を参照し、図１０のステップＣ３で一時記憶された（表示指示された）表示情報の表示領域とそれ以前に一時記憶された（表示されている）表示情報の表示領域とを比較し、重ならない表示領域を検出する。この結果、重ならない表示領域が無いことを検出した場合には（ステップＤ７でＮＯ）、表示指示された表示情報のみを表示部１７に表示させるために上述のステップＤ４に移るが、重ならない表示領域が有ることを検出した場合には（ステップＤ７でＹＥＳ）、所定の代替表示情報として、重ならない表示領域分の黒塗り画像を生成すると共に、その表示領域（黒塗り画像）内で収まるようにガイド情報を生成する（ステップＤ８）。そして、この所定の代替表示情報（黒塗り画像＋ガイド情報）を各種情報一時記憶部Ｍ２に一時記憶すると共に、表示されている表示情報を再度一時記憶させる（ステップＤ９）。なお、ここでもステップＤ４と同様に表示領域の変更（縮小）を行う。次に、当該表示情報に対応する「黒塗りフラグ」、「ガイドフラグ」を”１”としたのち（ステップＤ１０）、図１１のフローから抜ける。
【００４９】
図１２は、表示制御処理（図８のステップＡ９）を詳述するためのフローチャートである。
先ず、中央制御部１１は、各種情報一時記憶部Ｍ２に一時記憶されている表示情報を読み出すと共に（ステップＥ１）、表示モード記憶部Ｍ３から「設定フラグ」が“１”の表示モード（表示指示された表示情報に応じて決定された表示モード）を読み出して（ステップＥ２）、“２Ｄ用表示モード”であるかを調べる（ステップＥ３）。いま、現在の表示モードが“２Ｄ用表示モード”であれば（ステップＥ３でＹＥＳ）、視差バリアを消去させたのち（ステップＥ４）、表示情報を表示部１７に２Ｄ表示させる（ステップＥ５）。
【００５０】
また、現在の表示モードが“２Ｄ用表示モード”でなければ（ステップＥ３でＮＯ）、視差バリアを生成させたのち（ステップＥ６）、各種情報一時記憶部Ｍ２に一時記憶されている表示情報を表示部１７に３Ｄ表示させる（ステップＥ７）。なお、上述のステップＥ５、Ｅ７において、各種情報一時記憶部Ｍ２に所定の代替表示情報（黒塗り画像＋ガイド情報）が記憶されている場合には、本来の表示情報に代わって当該代替表示情報を表示させる。
【００５１】
図１４は、“３Ｄ用表示モードＡ”で画像を３Ｄ表示中に、“２Ｄ用表示モード”のメニューを表示するためにその表示情報の表示を指示するユーザ操作が行われた場合の表示例を示した図である。表示部１７には、今回表示指示された表示情報（メニュー）の３Ｄ深度とは異なる３Ｄ深度の表示情報（３Ｄ画像）が表示されているので、この表示されている表示情報（３Ｄ画像）に代わって所定の代替表示情報（黒塗り画像＋ガイド情報）が、表示指示された表示情報（メニュー）と共に表示部１７に表示される。この場合、ガイド情報として、例えば、“３Ｄ画像のため表示できません”が案内される。
【００５２】
一方、表示モード切替指示の発生を検出すると（図８のステップＡ１０でＹＥＳ）、切替指示された表示モードの「設定フラグ」を“１”とし、それ以外を“０”とすることによって新たな表示モードに変更する表示モード切替変更処理を行う（ステップＡ１１）。なお、表示モードの切替指示が発生するのは、ユーザ操作による切替指示を検出した場合に限らず、自動的に表示モードが変わるとき、例えば、スタイルによって表示モードが予め決められている場合にスタイルが変更されたときなど、自動的な表示モードの切替指示を検出した場合である。このように表示モードを切り替えたのちは、表示情報処理Ｂ−２を実行すると共に（ステップＡ１２）、上述の表示制御処理を実行する（ステップＡ９）。
【００５３】
ここで、図１５は、“２Ｄ用表示モード”で画像及びテキストが並列して２Ｄ表示されている状態において、“３Ｄ用表示モードＢ”に切り替えるためのユーザ操作が行われた場合の表示例を示している。以下、図１５に示す表示例を参照して、上述の表示情報処理Ｂ−２（ステップＡ１２）及び表示制御処理（ステップＡ９）を具体的に説明するものとする。
【００５４】
図１３は、表示情報処理Ｂ−２（図８のステップＡ１２）を詳述するためのフローチャートである。
先ず、中央制御部１１は、表示モード記憶部Ｍ３から「設定フラグ」が“１”の表示モード（新たに変更された“３Ｄ用表示モードＢ”）を読み出したのち（ステップＦ１）、各種情報一時記憶部Ｍ２をアクセスし、表示部１７に表示されている表示情報の「種別ＩＤ」を読み出して検出する（ステップＦ２）。なお、表示部１７に表示されている表示情報の「黒塗りフラグ」が“１”、つまり、黒塗り画像が表示されている場合でも黒塗り前における元の表示情報の「種別ＩＤ」を検出し、また、複数の表示情報が表示されている場合には、それぞれの表示情報毎に「種別ＩＤ」を検出して、それぞれの表示情報毎に以下の処理を実行する。
【００５５】
そして、表示されている表示情報の「種別ＩＤ」に基づいて３Ｄ深度情報記憶部Ｍ４を検索し、「表示可能３Ｄ深度」を読み出し検出したのち（ステップＦ３）、「設定フラグ」が“１”の表示モード（新たに変更された“３Ｄ用表示モードＢ”）の「３Ｄ深度」と、表示されている表示情報の「表示可能３Ｄ深度」とを比較して、表示されている表示情報を現在の表示モードの「３Ｄ深度」で表示することが可能であるかを調べる（ステップＦ４）。ここで、表示されている表示情報の「表示可能３Ｄ深度」のうち、そのいずれかに表示モードの「３Ｄ深度」が該当していれば、表示されている表示情報を現在の表示モードの「３Ｄ深度」で表示可能であると判断する。
【００５６】
いま、図１５の例では、表示部１７には画像及びテキストが２Ｄ表示されているので、先ず、その一つ目の表示情報として画像に着目し、この表示情報（画像）は、“３Ｄ用表示モードＢ”の「３Ｄ深度」で表示可能であるかを調べるが、この場合、画像を「３Ｄ深度」の“レベル２”で表示可能であるため（ステップＦ４でＹＥＳ）、各種情報一時記憶部Ｍ２をアクセスし、表示されている表示情報の「３Ｄ深度」を読み出して検出すると共に（ステップＦ５）、表示されている表示情報の「３Ｄ深度」と表示モードの「３Ｄ深度」とを比較して、それらは同一であるかを調べる（ステップＦ６）。
【００５７】
ここで、表示されている表示情報の「３Ｄ深度」と表示モードの「３Ｄ深度」とが同一であれば（ステップＦ６でＹＥＳ）、その表示情報を各種情報一時記憶部Ｍ２に一時記憶させると共に（ステップＦ７）、この表示情報の「黒塗りフラグ」及び「ガイドフラグ」を“０”としたのち（ステップＦ８）、図１３のフローから抜ける。図１５の例では、表示されている表示情報の「３Ｄ深度」は“レベル０”、つまり、画像が２Ｄ表示されている場合であるから（ステップＦ６でＮＯ）、ステップＦ９に移り、「設定フラグ」が“１”の表示モードは、“２Ｄ用表示モード”であるかを調べる。
【００５８】
いま、“２Ｄ用表示モード”から“３Ｄ用表示モードＢ”に切り替えられた場合であるから（ステップＦ９でＮＯ）、この画像を３Ｄ変換処理部１８によってその「３Ｄ深度」に応じた３Ｄ深度の画像に変換させたのち（ステップＦ１１）、この表示情報を各種情報一時記憶部Ｍ２に一時記憶させる（ステップＦ７）。なお、上述の場合とは逆に、“３Ｄ用表示モードＡ”あるいは“３Ｄ用表示モードＢ”から“２Ｄ用表示モード”に切り替えられた場合には（ステップＦ９でＹＥＳ）、表示情報記憶部Ｍ５から「３Ｄ深度」が“レベル０”の「実データ」を読み出したのち（ステップＦ１０）、この表示情報を各種情報一時記憶部Ｍ２に一時記憶させる（ステップＦ７）。
【００５９】
このようにして表示部１７には画像、テキストのうち、最初の画像に対する処理が終わると、次の表示情報としてテキストに着目し、この表示情報（テキスト）の「種別ＩＤ」を検出したのち（ステップＦ２）、「表示可能３Ｄ深度」を読み出すが（ステップＦ３）、この「表示可能３Ｄ深度」は“レベル０”で、“３Ｄ用表示モードＢ”の「３Ｄ深度」は“レベル２”であるから、現在の表示モードの「３Ｄ深度」では表示情報（テキスト）を表示不可能と判断し（ステップＦ４でＮＯ）、この表示情報（テキスト）に代わって所定の代替表示情報として、その表示領域分の黒塗り画像を生成すると共に、その表示領域（黒塗り画像）内で収まるようにガイド情報を生成する（ステップＦ１２）。そして、この所定の代替表示情報（黒塗り画像＋ガイド情報）を各種情報一時記憶部Ｍ２に一時記憶させたのち（ステップＦ１３）、当該表示情報に対応する「黒塗りフラグ」、「ガイドフラグ」を”１”として（ステップＦ１４）、図１３のフローから抜ける。
【００６０】
このような表示情報処理Ｂ−２（図８のステップＡ１２）が終わると、上述した表示制御処理の実行に移る（ステップＡ９）。いま、“２Ｄ用表示モード”から“３Ｄ用表示モードＢ”に切り替えられた場合であるから、視覚バリアを生成して表示情報を３Ｄ表示させる。すなわち、図１５に示すように、表示部１７に画像及びテキストが並列して２Ｄ表示されている状態において、“２Ｄ用表示モード”から“３Ｄ用表示モードＢ”に切り替えられると、２Ｄ表示の画像は３Ｄ表示の画像に変更されるが、２Ｄ表示のテキストに代わって所定の代替表示情報（黒塗り画像＋ガイド情報）が表示される。この場合、ガイド情報として、例えば、“３Ｄ用表示モードのため表示できません”が案内される。
【００６１】
他方、電話着信を検出すると（図８のステップＡ１３でＹＥＳ）、通話可能状態とすると共に、通話履歴を記憶したり、通話に関する情報を表示したりする通話処理を実行したのち（ステップＡ１４）、上述のステップＡ３に戻る。また、電源オフ操作が行われたときには（ステップＡ１５でＹＥＳ）、電源オフ処理を実行して（ステップＡ１６）、この図８のフローの終了となるが、その他の操作が行われたときには（ステップＡ１７でＹＥＳ）、その操作に応じた処理として、例えば、表示消去処理、通話発信処理、メール発信処理などを実行したのち（ステップＡ１８）、上述のステップＡ３に戻る。
【００６２】
ここで、表示消去処理は、ユーザ操作によって表示情報の消去が指示された際に、所定の代替表示情報（黒塗り画像＋ガイド情報）に代わって表示部１７に表示されていた元の表示情報（例えば、画像、テキスト、メニューなど）を表示させる処理である。より具体的には、各種情報一時記憶部Ｍ２に一時記憶されている「黒塗りフラグ」、「ガイドフラグ」を”０”としたのち、所定の代替表示情報に代わって元の表示情報を表示させる。なお、この表示消去処理は、ユーザ操作によって表示情報の消去が指示された場合に限らず、例えば、表示時間が経過したとき、画面を切り替えるときなど、自動的に表示情報を消去する指示を検出したときにも実行される。
【００６３】
以上のように、この実施形態においては、中央制御部１１は、表示指示された表示情報の３Ｄ深度とは異なる３Ｄ深度の表示情報が表示部１７に表示されている場合に、この表示情報に代わって所定の代替表示情報を表示指示された表示情報と共に表示部１７に表示させるようにしたので、異なる３Ｄ深度の表示情報が同時に表示されることを防止して、ユーザの３Ｄ認識に混乱を生じさせたり、ユーザに正しく認識されない表示情報が表示されたりすることを防止することが可能となる。
【００６４】
表示されている表示情報の表示領域のうち、表示指示された表示情報の表示領域と重ならない表示領域の表示情報に代わって所定の代替表示情報を表示指示された表示情報と共に表示させるようにしたので、異なる３Ｄ深度の表示情報が同時に表示されることを防止できると共に、表示指示された表示情報をユーザに良好に確認させることができる。
【００６５】
また、表示指示された表示情報の表示領域と重ならない表示領域が無ければ、表示指示された表示情報のみを表示させるようにしたので、上述と同様に、異なる３Ｄ深度の表示情報が同時に表示されることを防止できると共に、表示指示された表示情報をユーザに良好に確認させることができる。
【００６６】
表示指示された表示情報の表示を消去する場合に、所定の代替表示情報に代わって元の表示情報を表示させるようにしたので、ユーザの３Ｄ認識に混乱を生じさせたり、ユーザに正しく認識されない表示情報が表示されたりする状況が解消された場合に、元の表示情報をユーザに確認させることができる。
【００６７】
３Ｄ深度がゼロ以外の表示情報である３Ｄの表示情報が表示されている状態において、３Ｄ深度がゼロの表示情報である２Ｄの表示情報の表示が指示された際に、３Ｄの表示情報に代わって所定の代替表示情報を２Ｄの表示情報と共に表示させるようにしたので、表示されている３Ｄの表示情報と、表示指示された２Ｄの表示情報が同時に表示されることを防止すると共に、表示指示された２Ｄの表示情報をユーザに良好に確認させることができる。
【００６８】
２Ｄの表示情報が表示されている状態において、３Ｄの表示情報の表示が指示された際に、２Ｄの表示情報に代わって所定の代替表示情報を３Ｄの表示情報と共に表示させるようにしたので、表示されている２Ｄの表示情報と、表示指示された３Ｄの表示情報が同時に表示されることを防止すると共に、表示指示された３Ｄの表示情報をユーザに良好に確認させることができる。
【００６９】
所定の代替表示情報として、１色で塗りつぶされた表示情報（黒塗り画像）を表示させるようにしたので、識別性と共に表示処理を軽減することができる。
【００７０】
所定の代替表示情報として、表示指示された表示情報とは異なる３Ｄ深度の表示情報であることを示すガイド表示を含む情報を表示させるようにしたので、表示されている表示情報に代わって所定の画像が表示された理由をユーザに確認させることができる。
【００７１】
表示モードが指示された場合に、指示された表示モードとは異なる表示モードでユーザに正しく認識される３Ｄ深度の表示情報が表示されている場合に、この表示されている表示情報に代わって所定の代替表示情報を表示させるようにしたので、ある３Ｄ深度の表示情報をユーザに正しく認識させるための表示モードに設定された際に、その表示モードでは正しく認識されない表示情報が表示されることを防止することできる。
【００７２】
２Ｄ用表示モードが指示された場合に、３Ｄ深度がゼロ以外の表示情報である３Ｄの表示情報が表示されていれば、３Ｄの表示情報に代わって所定の代替表示情報を表示させるようにしたので、２Ｄ用表示モードで３Ｄの表示情報が表示されることを防止して、ユーザに正しく認識されない表示情報が表示されたりすることを防止できる。
【００７３】
３Ｄ用表示モードが指示された場合に、３Ｄ深度がゼロの表示情報である２Ｄの表示情報が表示されていれば、２Ｄの表示情報に代わって所定の代替表示情報を表示させるようにしたので、３Ｄ用表示モードで２Ｄの表示情報が表示されることを防止して、ユーザに正しく認識されない表示情報が表示されたりすることを防止できる。
【００７４】
なお、上述した実施形態においては、表示部１７に表示させる表示情報の種別として、情報配信装置４から配信される表示情報、テレビ局５から送信される表示情報（テレビ番組）、テキスト、メニューなどとしたが、これに限らず、例えば、撮影手段を備えた携帯電話機１にあっては、その撮影手段で撮影された表示情報（画像）、又は各種設定用画面、動画再生時の音量設定用画面など、表示部１７に表示させる任意の種別の表示情報であってもよい。
【００７５】
また、上述した実施形態においては、表示部１７に表示させる表示情報として記憶部１３に記憶されている表示情報としたが、これに限らず、情報配信装置４から配信される表示情報を受信しながら逐次表示したり（ストリーミング再生）、テレビ局５から送信される表示情報（テレビ番組）を受信しながら逐次表示したりするなど、表示部１７に表示させる任意の表示情報であってもよい。
【００７６】
また、上述した実施形態においては、３Ｄの表示情報は、その３Ｄ深度に応じた右目用の表示情報と左目用の表示情報を同時に表示して、それらが正しく３Ｄに見えるように３Ｄ深度に応じた視差バリアを表示部１７の表層に生成して３Ｄ表示を行う方法を例示したが、例えば、表示情報の中のオブジェクトが３Ｄに見えるような視覚効果を施して３Ｄ表示を行う方法など、任意の３Ｄ表示方法であってもよい。
【００７７】
また、上述した実施形態においては、表示情報に代わる所定の代替表示情報として、黒塗り画像とガイド情報を表示するようにしたが、黒塗り画像のみを表示してもよく、黒塗り画像に限らず、任意の１色で塗りつぶした画像、任意の２色以上の色で模様を描いた画像などでもよく、更に、固定の画像に限らず、映像であってもよく、表示すべき表示情報に代わって表示される所定の代替表示情報は任意である。また、また、動画を黒塗り表示させた場合に、動画を一時停止、音声出力停止などの処理を行い、黒塗り表示から元の表示情報に戻す場合に、動画の再生再開、音声出力再開の処理を行うなど、表示情報の種別に応じた適切な処理を追加するようにしてもよい。
【００７８】
また、上述した実施形態においては、表示指示された表示情報が現在の表示モードの「３Ｄ深度」で表示可能でなければ、それを表示可能な表示モードに切り替えるようにしたが、表示情報の種別に応じて表示モードが予め決められているようにしてもよい。例えば、表示情報の種別が画像であれば、３Ｄ用表示モード、メニューであれば、２Ｄ用表示モードとしてもよい。ここで、画像を表示する場合には３Ｄ用表示モードに切り替わり、また、画像の一部に重ねてメニューを表示する場合には２Ｄ用表示モードに切り替わって画像を黒塗り画像に代えるようにしてもよい。
【００７９】
その他、記憶部１３はメモリカードや外付けハードディスクなど、任意の外部記憶装置であってもよい。また、端末装置は携帯電話機に限らず、パーソナルコンピュータ、ＰＤＡ、デジタルカメラ、音楽プレイヤーなど、任意の端末装置であってもよい。更に、折り畳みタイプの端末装置に限らず、ストレートタイプ、スライドタイプ、スピントップタイプなど任意の筐体構造であってもよい。
【符号の説明】
【００８０】
１  携帯電話機
２  無線通信網
３  インターネット
４  情報配信装置
５  テレビ局
１１  中央制御部
１３  記憶部
１４  無線通信部
１６  テレビ放送受信部
１７  表示部
１８  ３Ｄ変換処理部
１９  視差バリア制御部
２０  操作部
Ｍ１  プログラム記憶部
Ｍ２  各種情報一時記憶部
Ｍ３  表示モード記憶部
Ｍ４  ３Ｄ深度情報記憶部
Ｍ５  表示情報記憶部
【図１】
2010164608.tif 000003
【図２】
2010164608.tif 000004
【図３】
2010164608.tif 000005
【図４】
2010164608.tif 000006
【図５】
2010164608.tif 000007
【図６】
2010164608.tif 000008
【図７】
2010164608.tif 000009
【図８】
2010164608.tif 000010
【図９】
2010164608.tif 000011
【図１０】
2010164608.tif 000012
【図１１】
2010164608.tif 000013
【図１２】
2010164608.tif 000014
【図１３】
2010164608.tif 000015
【図１４】
2010164608.tif 000016
【図１５】
2010164608.tif 000017